(57)【要約】【課題】  開口率を維持しながら、配線抵抗の増加を抑制でき、表示ムラの発生を抑制することが可能な片端子型液晶表示パネル及びマルチパネル型液晶表示パネルを提供すること。【解決手段】  マトリクス基板の額縁部分の一辺にゲート用信号入力端子、ソース用信号入力端子及びコモン入力端子を設けた片端子型液晶表示パネル１０において、ソース配線１３又はゲート配線１２のいずれか一方は配線方向の額縁部に設けられた信号入力端子の一方に接続され、ソース配線１３又はゲート配線１２の他方は一方の配線と平行に形成されたつなぎ配線２２1〜２２n+1によって信号入力端子の他方に接続され、補助容量電極１７はつなぎ配線と平行に形成されたコモン配線２３1〜２３n+1によりコモン入力端子に接続される。そして一方の配線の側方には、つなぎ配線２２1〜２２n+1又はコモン配線２３1〜２３n+1のいずれか一方が配置され、そのつなぎ配線２２1〜２２n+1又はコモン配線２３1〜２３n+1によって一方の配線と画素電極と間から漏れる光を遮光する。【選択図】      図１
2005351913.tif 000002
【特許請求の範囲】
【請求項１】
複数の直交するゲート配線及びソース配線と、両配線の交点近傍に配置された薄膜トランジスタと、前記薄膜トランジスタに接続された画素電極と、補助容量電極とを有するマトリクス基板を備え、前記マトリクス基板の額縁部分の一辺にゲート用信号入力端子、ソース用信号入力端子及びコモン入力端子を設けた片端子型液晶表示パネルにおいて、
前記ソース配線又はゲート配線のいずれか一方は該配線方向の額縁部に設けられた前記信号入力端子の一方に接続され、
前記ソース配線又はゲート配線の他方は前記一方の配線と平行に形成されたつなぎ配線によって前記信号入力端子の他方に接続され、
前記補助容量電極は前記つなぎ配線と平行に形成されたコモン配線により前記コモン入力端子に接続され、
一方の配線の側方には前記つなぎ配線又はコモン配線のいずれか一方が配置されると共に、そのつなぎ配線又はコモン配線によって一方の配線と画素電極の間から漏れる光を遮光することを特徴とする片端子型液晶表示パネル。
【請求項２】
前記コモン配線の両側に位置する補助容量電極が対になって該コモン配線に電気的に接続されていることを特徴とする請求項１に記載の片端子型液晶表示パネル。
【請求項３】
前記つなぎ配線及びコモン配線は、それぞれ前記ソース配線又はゲート配線のいずれか一方の両側に沿って互いに電気的に接続された状態で設けられていることを特徴とする請求項１又は２に記載の片端子型液晶表示パネル。
【請求項４】
前記つなぎ配線及びコモン配線は、前記マトリクス基板の一端から他端まで配線され、その途中箇所で目的の配線ないし補助容量電極に接続されていることを特徴とする請求項１から３のいずれかに記載の片端子型液晶表示パネル。
【請求項５】
請求項１から４のいずれかに記載の片端子型液晶表示パネルの複数枚を、前記端子側を同一方向に揃えて互いに接合したことを特徴とするマルチパネル型液晶表示パネル。
【請求項６】
請求項１から４のいずれかに記載の片端子型液晶表示パネルの２枚を、前記端子側が互いに外側に位置するように接合したことを特徴とするマルチパネル型液晶表示パネル。
【請求項７】
請求項１から４のいずれかに記載の片端子型液晶表示パネルの４枚以上の複数枚を、それぞれ半数の片端子型液晶表示パネル毎に前記端子側を同一方向に揃えて互いに接合すると共に、両者を前記端子側が互いに外側に位置するように接合したことを特徴とするマルチパネル型液晶表示パネル。
【発明の詳細な説明】
【技術分野】
【０００１】
本発明は片端子型液晶表示パネル及びこれを用いたマルチパネル型液晶表示パネルに関し、特に直交配置されるソース配線、ゲート配線及びコモン配線共に額縁部の一辺にのみ設けられた信号入力端子に接続した片端子型液晶表示パネル及びこれを用いたマルチパネル型液晶表示パネルに関するものである。
【背景技術】
【０００２】
近年、ＡＶ機器として用いられる家庭用のテレビ、ＯＡ機器に用いられる表示装置は、軽量化、薄型化、低消費電力化、高精細化及び画面の大型化が要求されている。これの表示装置としては、ＣＲＴ、液晶表示装置（ＬＣＤ）、プラズマ表示装置（ＰＤＰ）、ＥＬ(electro luminescent)表示装置、ＬＥＤ(light emitting diode)表示装置等が使用されているが、このような表示装置においても特に大画面化の開発・実用化が進められている。
【０００３】
なかでも液晶表示装置は、他の表示装置に比べ、厚さ（奥行き）が格段に薄くできること、消費電力が小さいこと、フルカラー化が容易なこと等の利点を有するので、特にＴＦＴ（薄膜トランジスタ、Thin Film Transistor）方式のアクティブマトリクス型液晶表示パネルを用いた液晶表示装置は携帯端末から大型テレビに至るまで幅広く利用されている。
【０００４】
アクティブマトリクス型液晶表示パネルは、マトリクス状に配置された画素電極と各画素電極に接続されたＴＦＴが設けられたマトリクス基板と共通電極及びカラーフィルタが設けられた対向基板とを所定間隔を隔てて配設し、両基板間に液晶を封入することにより構成される。ＴＦＴは、画素電極へのデータ信号入力を選択するスイッチング素子であり、ゲート電極、ソース電極、ドレイン電極、及び、非晶質半導体層より構成される電界効果トランジスタであり、それぞれの電極は走査線、信号線及び画素電極に接続されている。
【０００５】
従来から一般的に用いられているアクティブマトリクス型液晶表示パネルの具体的構成について図４〜図６を用いて説明する。なお、図４は、アクティブマトリクス型液晶表示パネル３０の等価回路図であり、図５はアクティブマトリクス型液晶表示パネルの数画素分の概略的な平面図であり、また、図６は図５のＢ−Ｂ’線に沿った断面図である。
【０００６】
このアクティブマトリクス型液晶表示パネル３０は、表面に複数本の走査線Ｘ1、Ｘ2・・・Ｘn、Ｘn+1からなるゲート配線１２と、複数本の信号線Ｙ1、Ｙ2・・・Ｙm、Ｙm+1からなるソース配線１３と、スイッチング素子であるＴＦＴ１４を備えたマトリクス基板１１を有している。そして複数本の走査線であるゲート配線１２はそれぞれ複数本の信号線であるソース配線１３とマトリクス状に直交して配置され、その交点近傍にＴＦＴ１４が設けられている。また、ゲート配線１２及びソース配線１３は、それぞれ独立につなぎ配線が設けられており、そのつなぎ配線の終端部に走査線用入力端子部１５及び信号線用入力端子部１６が設けられている。すなわち、液晶表示パネル３０は、それぞれ直交するゲート配線１２とソース配線１３は基板の額縁部（基板の周縁部）の２方向に引き出され、この額縁部に形成した各端子部１５及び１６に接続された構成になっている。
【０００７】
個々の画素はマトリクス基板１１上のゲート配線１２とソース配線１３で囲まれた領域に設けられており、この画素ＬＰは等価的に液晶容量ＣLCで表わされている。通常液晶容量ＣLCには補助容量電極１７との間に形成される補助容量Ｃｓ（図示せず）が並列に接続されており、液晶容量ＣLCの一端はＴＦＴ１４に接続されているとともに、他端は対向基板１８に設けられている共通電極１９に接続されて所定の電圧Ｖcomが印加されている。なお、対向基板１８と共通電極１９との間にはカラーフィルタが設けられているが、図示省略してある。
【０００８】
各画素毎のＴＦＴ１４のソース電極Ｓはソース配線１３に接続されて画像信号の供給を受け、同じくドレイン電極Ｄは液晶容量ＣLCの一端、すなわち画素電極２０に接続され、同じくＴＦＴ１４のゲート電極Ｇはゲート配線１２に接続されて所定のゲート電圧を有するゲートパルスが印加されるようになされている。そして、一連のゲート配線１２は線順次に走査選択されて１走査線上の全てのＴＦＴを順次にＯＮとし、このＯＮ期間中にデータ信号が各ソース配線１３を介してそれぞれの画素電極２０に入力される。共通電極１９は、走査信号に同期して電圧が設定され、対向する各画素電極２０との間で画素となる液晶容量ＣLCが形成されて電圧が保持される。この保持電圧は画素電極２０と対向電極１９との間に配置された液晶２１を駆動するとともに、次フィールドで正負反転して書き換えられるまで、液晶２１の駆動状態を１走査期間維持するようになっている。
【０００９】
このような構成のアクティブマトリクス型液晶表示パネルは、小型のものから対角４０インチ（約１０２ｃｍ）ないし５０インチ（約１２７ｃｍ）サイズ程度の大型のものまで製造されるようになってきている。しかしながら、液晶表示パネルは、画面の大型化を図ると、製造工程において信号線の断線、画素欠陥等による不良率が急激に高くなり、ひいては液晶表示装置の価格上昇をもたらすといった問題が生じる。そのために、液晶表示装置の大型化を図るためには、複数枚の液晶表示パネルを継ぎ合わせて、いわゆるマルチパネル型の液晶表示パネルとすることが行われている。このような液晶表示パネルを貼り合わせて大型の液晶表示パネルを構成する場合、通常、図７に示すように、４枚の液晶表示パネル３０Ａ〜３０Ｄをそれぞれの端面を接着剤等により接合することによって製造されている。
【００１０】
従って、この場合、額縁部３０Ａａ及び３０Ａｂにそれぞれゲート配線を接続する端子部及びソース配線を接続する端子部が形成された液晶表示パネル３０Ａと、額縁部３０Ｂａ及び３０Ｂｂにそれぞれゲート配線を接続する端子部及びソース配線を接続する端子部が形成された液晶表示パネル３０Ｂの、少なくとも２種類の液晶表示パネルを製造する必要が生じる。すなわち、液晶表示パネル３０Ｃは液晶表示パネル３０Ｂを１８０°回転して使用し、液晶表示パネル３０Ｄは液晶表示パネル３０Ａを１８０°回転して使用すれば、一応上記２種類の液晶表示パネルで大型液晶表示パネルが構成できることになる。
【００１１】
一方、このような２種類の液晶表示パネルを必要としない片端子型の液晶表示パネルを用いた大型液晶表示パネルが下記特許文献１に開示されている。そこで、図８及び図９を用いて下記特許文献１に開示されている片端子型液晶表示パネルないし大型液晶表示パネルの構成を、前記従来例の液晶表示パネルと同一構成の部分には同一の参照符号を付与して説明する。なお、図８は下記特許文献１で使用されている片端子型のアクティブマトリクス型液晶表示パネルの等価回路を示す図であり、図９は図８に示されている片端子型液晶表示パネルを３枚（図９（ａ））又は６枚（図９（ｂ））用いてマルチパネル型液晶表示パネルを構成した例を示す概略化した平面図である。
【００１２】
この片端子型液晶表示パネル４０は、複数本の走査線Ｘ1、Ｘ2・・・Ｘn、Ｘn+1からなるゲート配線１２と、複数本の信号線Ｙ1、Ｙ2・・・Ｙm、Ｙm+1からなるソース配線１３と、ゲート用つなぎ配線２２1、２２2・・・２２n、２２n+1と、ＴＦＴ１４とを有しており、そのうちゲート用つなぎ配線２２1〜２２n+1及びソース配線１３が走査線用入力端子部１５及び信号線用入力端子部１６にそれぞれ接続されている。この液晶表示パネル４０においては、複数本の信号線Ｙ1〜Ｙm+1からなるソース配線１３及びゲート用つなぎ配線２２1〜２２n+1に直交して複数本の走査線Ｘ1〜Ｘn+1からなるゲート配線１２が配置され、その交点近傍にＴＦＴ１４が設けられている。
【００１３】
すなわち、図８に示した片端子型液晶表示パネル４０は、額縁部の一辺側にゲート配線１２を接続する端子部１５及びソース配線１３を接続する端子部１６を形成したものである。なお、この場合においては、ゲート配線１２をソース配線１３に対して平行に設けられたつなぎ配線２２1〜２２n+1により信号線用入力端子部１６と同じ側に設けられた走査線用入力端子部１５に接続した構成を示したが、それとは逆に、ソース配線１３をゲート配線１２に対して平行に設けたつなぎ配線により走査線用入力端子部と同じ側に設けられた信号線用入力端子部に接続するようになすことも可能である。
【００１４】
このような構成の片端子型液晶表示パネル４０を複数枚組み合わせることにより、種々のサイズの大型液晶表示パネルを作製することができる。例えば、図９（ａ）は３枚の片端子型液晶表示パネル４０Ａ〜４０Ｃを、図９（ｂ）は６枚の片端子型液晶表示パネル４０Ａ〜４０Ｆを貼り合わせて大型の液晶表示パネルを作成した例を示す。これらの液晶表示パネルにおいては、額縁部４０Ａａにそれぞれゲート配線を接続する端子部及びソース配線を接続する端子部が形成された液晶表示パネル４０Ａのみを製造すれば足りることになる。すなわち、図９（ｂ）の構成の液晶表示パネルの場合、液晶表示パネル４０Ｄ〜４０Ｆは液晶表示パネル４０Ａを１８０°回転して使用すればよい。
【特許文献１】特開平１０−７８７６１号公報（特許請求の範囲、段落［０００９］〜［００１３］図１、図４）
【発明の開示】
【発明が解決しようとする課題】
【００１５】
一般に、上記特許文献１に開示されるような片端子型液晶表示パネルにおいては、額縁部分の占める面積を減らし、かつ、マトリクス状に直交して形成された複数本の走査線Ｘ1、Ｘ2・・・Ｘn、Ｘn+1からなるゲート配線１２と、複数本の信号線Ｙ1、Ｙ2・・・Ｙm、Ｙm+1からなるソース配線１３をパネルの一辺側の額縁部に形成した入力端子に接続するために、図８に示したようなゲート用つなぎ配線２２1〜２２n+1を使用したいわゆる内つなぎによる接続方法が採用されているが、このような内つなぎによる接続方法の場合、ソース配線１３の他にゲート用つなぎ配線２２1〜２２n+1を配線する必要があり、加えて補助容量電極１７に接続されるコモン配線を設ける必要もあるため、配線数が多くなるので、画素間の遮光バー（ブラックマトリクス、ＢＭ）上にそれぞれの配線を形成することが困難になる。
【００１６】
この点は、
（１）遮光バーの幅を広くする
（２）つなぎ配線等の太さを細くする
等の構成を採用することにより一応解決し得るが、遮光バーの幅を広くすると液晶表示パネルの表示用画素の占める割合、すなわち開口率が低下するために、表示画像の明るさ及び明瞭度が低下するし、また、つなぎ配線等の太さを細くすると配線抵抗が大きくなって表示ムラが目立つようになる。
【００１７】
本願発明者は、上記のような問題点を解消すべく種々検討を重ねた結果、片端子型液晶表示パネルを得る目的でゲート配線ないしはソース配線等をつなぎ配線により引き回す場合、光リークを防止するための遮光バーが設けられている場合には、この遮光バーをつなぎ配線ないしはコモン配線として利用すれば、開口率が大きく下がらず、また、遮光バーを複数本並列につなぎ配線として利用することにより配線抵抗を下げることができるので、表示ムラの発生を抑制できることを見出し、本発明を完成するに至ったのである。
【００１８】
すなわち、本発明の第１の目的は、片端子型液晶表示パネルにおいて、ＴＦＴ、ゲート配線、ソース配線、コモン配線及びつなぎ配線を効率よく形成し、開口率を維持しながら、配線抵抗の増加を抑制でき、表示ムラの発生を抑制することが可能な片端子型液晶表示パネルを提供することにある。
【００１９】
また、本発明の第２の目的は、前記片端子型液晶表示パネルを複数枚使用したマルチパネル型液晶表示パネルを提供することにある。
【課題を解決するための手段】
【００２０】
上記本発明の第１の目的は以下の構成により達成することができる。すなわち、本願の請求項１に記載の片端子型液晶表示パネルの発明は、複数の直交するゲート配線及びソース配線と、両配線の交点近傍に配置された薄膜トランジスタと、前記薄膜トランジスタに接続された画素電極と、補助容量電極とを有するマトリクス基板を備え、前記マトリクス基板の額縁部分の一辺にゲート用信号入力端子、ソース用信号入力端子及びコモン入力端子を設けた片端子型液晶表示パネルにおいて、前記ソース配線又はゲート配線のいずれか一方は該配線方向の額縁部に設けられた前記信号入力端子の一方に接続され、前記ソース配線又はゲート配線の他方は前記一方の配線と平行に形成されたつなぎ配線によって前記信号入力端子の他方に接続され、前記補助容量電極は前記つなぎ配線と平行に形成されたコモン配線により前記コモン入力端子に接続され、一方の配線の側方には前記つなぎ配線又はコモン配線のいずれか一方が配置されると共に、そのつなぎ配線又はコモン配線によって一方の配線と画素電極の間から漏れる光を遮光することを特徴とする。
【００２１】
また、請求項２に記載の発明は、前記請求項１に記載の片端子型液晶表示パネルにおいて、コモン配線の両側に位置する補助容量電極が対になって該コモン配線に電気的に接続されていることを特徴とする。
【００２２】
また、請求項３に記載の発明は、請求項１又は２に記載の片端子型液晶表示パネルにおいて、つなぎ配線及びコモン配線は、それぞれソース配線又はゲート配線のいずれか一方の両側に沿って互いに電気的に接続された状態で設けられていることを特徴とする。
【００２３】
また、請求項４に記載の発明は、請求項１〜３のいずれかに記載の片端子型液晶表示パネルにおいて、つなぎ配線及びコモン配線は、マトリクス基板の一端から他端まで配線され、その途中箇所で目的の配線ないし補助容量電極に接続されていることを特徴とする。
【００２４】
また、本発明の第２の目的は以下の構成により達成することができる。すなわち、本願の請求項５に記載のマルチパネル型液晶表示パネルの発明は、請求項１から４のいずれかに記載の片端子型液晶表示パネルの複数枚を、前記端子側を同一方向に揃えて互いに接合したことを特徴とする。
【００２５】
また、請求項６に記載のマルチパネル型液晶表示パネルの発明は、請求項１から４のいずれかに記載の片端子型液晶表示パネルの２枚を、前記端子側が互いに外側に位置するように接合したことを特徴とする。
【００２６】
また、請求項７に記載のマルチパネル型液晶表示パネルの発明は、請求項１から４のいずれかに記載の片端子型液晶表示パネルの４枚以上の複数枚を、それぞれ半数の片端子型液晶表示パネル毎に前記端子側を同一方向に揃えて互いに接合すると共に、両者を前記端子側が互いに外側に位置するように接合したことを特徴とする。
【発明の効果】
【００２７】
本発明は、上述の構成を備えることにより以下のような優れた効果を奏する。すなわち、請求項１に記載の発明によれば、つなぎ配線及びコモン配線を遮光バーに兼用できるため、別途つなぎ配線及びコモン配線のためのスペースの必要性が少なくなるので、液晶表示パネルの開口率が低下せず、明るく明瞭な画像表示ができる片端子型液晶表示パネルが得られる。
【００２８】
また、請求項２に記載の片端子型液晶表示パネルによれば、全てのソース配線に対して平行にコモン配線を配置しなくても全画素の補助容量電極に対してコモン電位を印加することが可能となる。この場合、コモン配線数が少なくてコモン配線に隣接していない補助容量電極が生じる場合には、隣り合う補助容量電極と電気的導通をとれば、同様に全画素の補助容量電極に対してコモン電位を印加することが可能となる。
【００２９】
また、請求項３に記載の片端子型液晶表示パネルによれば、つなぎ配線及びコモン配線は、それぞれソース配線及びゲート配線の一方の両側に沿って配置されており、しかも互いに電気的に接続されているから、実質的につなぎ配線及びコモン配線を太くしたのと等価となる。そのため、これらの配線の電気抵抗が減少するために電位低下が少なくなるので、表示ムラが生じ難くなる。
【００３０】
また、請求項４に記載の片端子型液晶表示パネルによれば、つなぎ配線及びコモン配線は、液晶表示パネルの一端から他端まで配線され、その途中の接続点で目的とするソース配線又はゲート配線ないしは補助容量電極に接続されるため、全てのつなぎ配線及びコモン配線の電気的特性がバランス良くなり、表示ムラを生じる問題が軽減される。
【００３１】
更に、請求項５に記載のマルチパネル型液晶表示パネルによれば、任意数の片端子型液晶表示パネルを端子側を同一方向に揃えて接合できるので、大型で、横長若しくは縦長のマルチパネル型液晶表示パネルを得ることができ、しかも端子が一方向にまとまっているので、配線が容易となる。
【００３２】
また、請求項６に記載のマルチパネル型液晶表示パネルによれば、端子が両端側に位置し、幅ないし高さが単一の片端子型液晶表示パネルの２倍の大きさのマルチパネル型液晶表示パネルを得ることができる。
【００３３】
また、請求項７に記載のマルチパネル型液晶表示パネルによれば、端子が両端側に位置し、幅ないし高さが請求項５に記載のマルチパネル型液晶表示パネルの２倍の大きさのマルチパネル型液晶表示パネルを得ることができる。
【発明を実施するための最良の形態】
【００３４】
以下、本発明に係る片端子型液晶表示パネルの実施の形態について添付の図面を参照して詳細に説明する。但し、以下に示す実施形態は、本発明の技術思想を具体化するための片端子型液晶表示パネルの一例を示すものであって、本発明をこの片端子型液晶表示パネルに特定することを意図するものではなく、特許請求の範囲に含まれるその他の実施形態のものも等しく適用し得るものである。なお、以下の説明において、図４〜図９に示した従来例の液晶表示パネルと同一の構成要素には同一の参照符号を付して説明することとする。
【実施例】
【００３５】
図１は、本発明の実施例に係るアクティブマトリクス型液晶表示パネルの数画素分の概略的な平面図であり、図２は図１のＡ−Ａ’線に沿った断面図である。図１において、本実施例に係る片端子型液晶表示パネル１０は、複数本の走査線Ｘ1、Ｘ2・・・Ｘn、Ｘn+1からなるゲート配線１２、複数本の信号線Ｙ1、Ｙ2・・・Ｙm、Ｙm+1からなるソース配線１３と、ＴＦＴ１４、補助容量電極１７と、複数本のゲート用つなぎ配線２２1、２２2・・・２２n、２２n+1及び複数本のコモン配線２３1、２３2・・・２３n、２３n+1を備えたマトリクス基板１１を有しており、このマトリクス基板１１の上部には対向電極１９及びカラーフィルタ（図示省略）を備えた対向基板１８が配置され、両基板間に液晶が適宜のシール材により密封されている。
【００３６】
この場合、ソース配線１３及び複数本のゲート用つなぎ配線２２1〜２２n+1はそれぞれ図示しない額縁の一辺に設けられた信号線用入力端子部及び走査線用入力端子部に接続され、同じく複数本のコモン配線２３1〜２３n+1は一本又は数本にまとめられて額縁の同じ一辺に設けられたコモン入力端子部に接続されている。
【００３７】
そのうち、ゲート用つなぎ配線２２1〜２２n+1は複数本のソース配線１３に対し平行に設けられており、また、同様にコモン配線２３1〜２３n+1もゲート用つなぎ配線２２1〜２２n+1が設けられていない複数本のソース配線１３に対して平行に設けられている。すなわち、液晶表示パネルの解像度に応じて走査線用入力端子数と信号線用入力端子数は異なるので、この片端子型液晶表示パネル１０では、ゲート用つなぎ配線２２1〜２２n+1及びコモン配線２３1〜２３n+1は、ソース配線１３に対してそれぞれ別個に、解像度に応じて適宜の順番で平行に設けられていることになる。
【００３８】
また、複数本のソース配線１３のそれぞれに対し平行に、ゲート用つなぎ配線２２1〜２２n+1又はコモン配線２３1〜２３n+1が設けられている位置とは反対側に、遮光バー２４が設けられている。この遮光バー２４は、各ＴＦＴ１４の近傍及び各ゲート配線１２の近傍で切断されている。しかしながら、このままでは遮光バー２４はフローティング状態となって電位が定まらないこと、及び、遮光バー２４とコモン配線２３1〜２３n+1が導通している箇所では容量を持ち、遮光バー２４とゲート用つなぎ配線２２1〜２２n+1が導通していない箇所では容量をもたないし、また、これによりゲート用つなぎ配線２２1〜２２n+1とコモン配線２３1〜２３n+1との間に電気的特性の相違も生じるので、表示ムラが発生する可能性がある。そのため、遮光バー２４は各ソース配線１３の下部を通して反対側のコモン配線２３1〜２３n+1ないしゲート用つなぎ配線２２1〜２２n+1と電気的に導通させることが望ましい。このような構成とすれば、コモン配線２３1〜２３n+1ないしゲート用つなぎ配線２２1〜２２n+1を太くしたことと等価になるので、これらの配線の電気抵抗が減少するために電位低下が少なくなり、また、各画素ごとの補助容量も均一となるので、表示ムラが減少する。
【００３９】
この場合、図２に示すように、ゲート用つなぎ配線２２1〜２２n+1、コモン配線２３1〜２３n+1及び遮光バー２４は、マトリクス基板１１を形成するガラス等の透明基板上に直接ないしは絶縁膜（図示せず）を介して設けられており、また、図２には示されてはいないが、補助容量電極１７もマトリクス基板１１を形成するガラス等の透明基板上に直接ないしは絶縁膜を介して設けられている。
【００４０】
そうすると、補助容量電極１７は、ゲート用つなぎ配線２２1〜２２n+1と同一レイヤーになるため、ゲート用つなぎ配線２２1〜２２n+1と交差する位置２５（図１の破線で囲んだ位置）で切断されており、また、複数本のコモン配線２３1〜２３n+1とは両者の交差位置でコンタクト２６により電気的導通がとられている。一方、ゲート用つなぎ配線２２1〜２２n+1は、ゲート配線１２を構成する走査線Ｘ1、Ｘ2・・・Ｘn、Ｘn+1の所定の１つと交差する箇所でコンタクト２７を介してその走査線と電気的に導通している。
【００４１】
なお、この複数本のコモン配線２３1〜２３n+1及びゲート用つなぎ配線２２1〜２２n+1は、本来各コンタクト２６ないしは２７の位置まで設けられていればすむものであるが、それぞれのコモン配線２３1〜２３n+1ないしはゲート用つなぎ配線２２1〜２２n+1間の電気的特性に相違が生じないように、マトリクス基板１１の一端から他端まで延長して設けられている。
【００４２】
このような構成の液晶表示パネルにおいては、各コモン配線２３1〜２３n+1に印加されたコモン電位は、補助容量電極１７とのコンタクト２６を経て少なくともこのコンタクト２６の両側に位置する各補助容量電極１７に印加される。この場合、各コモン配線２３1〜２３n+1は、ゲート用つなぎ配線２２1〜２２n+1が設けられていない複数本のソース配線１３に平行に設けられているため、その両側に位置する補助容量電極１７に所定のコモン電位が印加できる。なお、コモン配線２３1〜２３n+1の数が少なくて、コモン配線２３1〜２３n+1に隣接していない補助容量電極１７が存在する場合には、隣り合う補助容量電極１７と電気的導通をとることにより全画素の補助容量電極１７に所定のコモン電位を印加することが可能となる。
【００４３】
また、これらの複数本のゲート配線１２及び複数本のソース配線１３の交点近傍には、各画素毎にＴＦＴ１４が設けられており、これらのＴＦＴ１４の形成領域にはａ−Ｓｉ膜２８（図６参照）を介してソース電極Ｓ及びドレイン電極Ｄが設けられ、更にドレイン電極Ｄと電気的に導通するように画素電極２０が設けられている。
【００４４】
なお、ＴＦＴ１４の構成は、従来例のものと同様であってもよいが、図３に示したように、ドレイン電極Ｄの先端部を半円状とし、このドレイン電極Ｄの先端部に対向するソース電極Ｓの先端部を半円弧状とし、両電極間の距離すなわちチャネル長Ｌを一定となるようにすると、チャネル幅Ｗを大きくできると共に、ドレイン電極Ｄとソース電極Ｓとの間の寄生容量ＣDS及びゲート電極Ｇとドレイン電極Ｄとの間の寄生容量ＣGDを共に小さくできるので、ＴＦＴ１４の大きさを従来例のものと同じ程度となしても、ＯＮ電流を大きくできるため、液晶表示パネルの応答速度を向上させることができる。
【００４５】
本実施例では、これらの複数本のゲート配線１２、複数本のソース配線１３、ゲート用つなぎ配線２２1〜２２n+1及び複数本のコモン配線２３1〜２３n+1は全て遮光バーを兼ねており、光透過性のない金属により形成されている。このような構成となせば、従来から光リーク対策として設けられている遮光バーをつなぎ配線として利用できるので、別途これらのつなぎ配線やコモン配線を設けるためのスペースが必要ないので、従来と同程度の開口率を維持し得る内つなぎ型の片端子型液晶表示パネルが得られる。
【００４６】
以上の実施例においては、ゲート配線１２をゲート用つなぎ配線２２1〜２２n+1によってソース配線１３と同方向に引き出す構成を例に説明したが、本発明はこれに限定されるものではなく、ソース配線１３をソース用つなぎ配線によってゲート配線１２と同方向に引出す構成であってもよい。この場合、補助容量電極１７に接続される複数本のコモン配線２３1〜２３n+1もゲート配線１２と同方向に引出せばよい。
【００４７】
なお、上記の片端子型液晶表示パネルを用いてマルチパネル型液晶表示パネルとするには、前記片端子型液晶表示パネルの複数枚を、図９（ａ）に記載されているように、前記端子側を同一方向に揃えて互いに接合すればよく、また、前記片端子型液晶表示パネルの２枚を端子側が互いに外側方向となるように接合するか、或いは、図９（ｂ）に記載されているように、前記片端子型液晶表示パネルの４枚以上の複数枚を、それぞれ半数の片端子型液晶表示パネル毎に前記端子側を同一方向に揃えて互いに接合すると共に、両者を前記端子側が互いに外側に位置するように接合すればよい。
【図面の簡単な説明】
【００４８】
【図１】本発明のアクティブマトリクス型液晶表示パネルの数画素分の概略的な平面図である。
【図２】図１のＡ−Ａ’線に沿った断面図である。
【図３】ＴＦＴの別の具体例を示す図である。
【図４】アクティブマトリクス型液晶表示パネルの等価回路図である。
【図５】アクティブマトリクス型液晶表示パネルの数画素分の概略的な平面図である。
【図６】図５のＢ−Ｂ’線に沿った断面図である。
【図７】４枚の液晶パネルを組み合わせた従来の大型液晶表示パネルの概略的な平面図である。
【図８】従来の片端子型アクティブマトリクス型液晶表示パネルの等価回路を示す図である。
【図９】図８に示されている片端子型液晶表示パネルを３枚（図９（ａ））又は６枚（図９（ｂ））用いてマルチパネル型液晶表示パネルを構成した例を示す概略化した平面図である。
【符号の説明】
【００４９】
１０、４０  片端子型液晶表示パネル
１１    マトリクス基板
１２    ゲート配線
１３    ソース配線
１４    ＴＦＴ
１５    走査線用入力端子部
１６    信号線用入力端子部
１７    補助容量電極
１８    対向基板
１９    共通電極
２０    画素電極
２１    液晶
２２1〜２２n+1  ゲート用つなぎ配線
２３1〜２３n+1  コモン配線
２４    遮光バー
２５    補助電極とゲート用つなぎ配線が交差する位置
２６    コンタクト
２７    コンタクト
３０    アクティブマトリクス型液晶表示パネル
Ｘ１〜Ｘn+1  走査線
Ｙ１〜Ｙm+1  信号線
【図１】
2005351913.tif 000003
【図２】
2005351913.tif 000004
【図３】
2005351913.tif 000005
【図４】
2005351913.tif 000006
【図５】
2005351913.tif 000007
【図６】
2005351913.tif 000008
【図７】
2005351913.tif 000009
【図８】
2005351913.tif 000010
【図９】
2005351913.tif 000011